【手続補正書】
【提出日】平成23年4月26日(2011.4.26)
【手続補正１】
【補正対象書類名】明細書
【補正対象項目名】０００６
【補正方法】変更
【補正の内容】
【０００６】
上記課題を解決するため、請求項１に記載の発明の撮像装置は、
背景内に被写体が存在する被写体存在画像を撮像する第１撮像手段と、前記被写体存在画像の撮像の際の撮像条件と同じ撮像条件で、前記背景と同一の背景内に前記被写体の存在しない前記背景画像を撮像する第２撮像手段と、前記被写体存在画像から顔領域を検出する顔検出手段と、前記被写体存在画像と前記背景画像との位置合わせを行う位置合わせ手段と、前記位置合わせ手段により位置合わせされた前記被写体存在画像と前記背景画像との間で対応する各画素の差分情報を生成する差分生成手段と、前記差分生成手段により生成された前記差分情報に基づいて、前記被写体存在画像から被写体が含まれる被写体領域を抽出する被写体抽出手段と、備え、前記差分生成手段は、前記顔検出手段によって顔領域が検出された場合に、当該顔領域については相違度が高くなるように前記差分情報を生成することを特徴としている。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項２に記載の発明の画像処理方法は、
撮像手段を備える撮像装置の画像処理方法であって、背景内に被写体が存在する被写体存在画像を撮像する第１撮像ステップと、前記被写体存在画像の撮像の際の撮像条件と同じ撮像条件で、前記背景と同一の背景内に前記被写体の存在しない前記背景画像を撮像する第２撮像ステップと、前記被写体存在画像から顔領域を検出する顔検出ステップと、前記被写体存在画像と前記背景画像との位置合わせを行う位置合わせステップと、前記位置合わせステップにより位置合わせされた前記被写体存在画像と前記背景画像との間で対応する各画素の差分情報を生成する差分生成ステップと、前記差分生成ステップにより生成された前記差分情報に基づいて、前記被写体存在画像から被写体が含まれる被写体領域を抽出する被写体抽出ステップと、含み、前記差分生成ステップは、前記顔検出ステップによって顔領域が検出された場合に、当該顔領域については相違度が高くなるように前記差分情報を生成することを特徴とする。
【手続補正２１】
【補正対象書類名】明細書
【補正対象項目名】００２６
【補正方法】変更
【補正の内容】
【００２６】
請求項３に記載の発明のプログラムは、
背景内に被写体が存在する被写体存在画像を撮像する第１撮像手段、前記被写体存在画像の撮像の際の撮像条件と同じ撮像条件で、前記背景と同一の背景内に前記被写体の存在しない前記背景画像を撮像する第２撮像手段、前記被写体存在画像から顔領域を検出する顔検出手段、前記被写体存在画像と前記背景画像との位置合わせを行う位置合わせ手段、前記位置合わせ手段により位置合わせされた前記被写体存在画像と前記背景画像との間で対応する各画素の差分情報を生成する差分生成手段、前記差分生成手段により生成された前記差分情報に基づいて、前記被写体存在画像から被写体が含まれる被写体領域を抽出する被写体抽出手段、として機能させ、前記差分生成手段は、前記顔検出手段によって顔領域が検出された場合に、当該顔領域については相違度が高くなるように前記差分情報を生成すること特徴としている。
【手続補正２２】
【補正対象書類名】特許請求の範囲
【補正対象項目名】全文
【補正方法】変更
【補正の内容】
【特許請求の範囲】
【請求項１】
背景内に被写体が存在する被写体存在画像を撮像する第１撮像手段と、
前記被写体存在画像の撮像の際の撮像条件と同じ撮像条件で、前記背景と同一の背景内に前記被写体の存在しない前記背景画像を撮像する第２撮像手段と、
前記被写体存在画像から顔領域を検出する顔検出手段と、
前記被写体存在画像と前記背景画像との位置合わせを行う位置合わせ手段と、
前記位置合わせ手段により位置合わせされた前記被写体存在画像と前記背景画像との間で対応する各画素の差分情報を生成する差分生成手段と、
前記差分生成手段により生成された前記差分情報に基づいて、前記被写体存在画像から被写体が含まれる被写体領域を抽出する被写体抽出手段と、
を備え、
前記差分生成手段は、
前記顔検出手段によって顔領域が検出された場合に、当該顔領域については相違度が高くなるように前記差分情報を生成することを特徴とする撮像装置。
【請求項２】
撮像手段を備える撮像装置の画像処理方法であって、
背景内に被写体が存在する被写体存在画像を撮像する第１撮像ステップと、
前記被写体存在画像の撮像の際の撮像条件と同じ撮像条件で、前記背景と同一の背景内に前記被写体の存在しない前記背景画像を撮像する第２撮像ステップと、
前記被写体存在画像から顔領域を検出する顔検出ステップと、
前記被写体存在画像と前記背景画像との位置合わせを行う位置合わせステップと、
前記位置合わせステップにより位置合わせされた前記被写体存在画像と前記背景画像との間で対応する各画素の差分情報を生成する差分生成ステップと、
前記差分生成ステップにより生成された前記差分情報に基づいて、前記被写体存在画像から被写体が含まれる被写体領域を抽出する被写体抽出ステップと、
を含み、
前記差分生成ステップは、
前記顔検出ステップによって顔領域が検出された場合に、当該顔領域については相違度が高くなるように前記差分情報を生成することを特徴とする画像処理方法。
【請求項３】
撮像手段を備える撮像装置のコンピュータを、
背景内に被写体が存在する被写体存在画像を撮像する第１撮像手段、
前記被写体存在画像の撮像の際の撮像条件と同じ撮像条件で、前記背景と同一の背景内に前記被写体の存在しない前記背景画像を撮像する第２撮像手段、
前記被写体存在画像から顔領域を検出する顔検出手段、
前記被写体存在画像と前記背景画像との位置合わせを行う位置合わせ手段、
前記位置合わせ手段により位置合わせされた前記被写体存在画像と前記背景画像との間で対応する各画素の差分情報を生成する差分生成手段、
前記差分生成手段により生成された前記差分情報に基づいて、前記被写体存在画像から被写体が含まれる被写体領域を抽出する被写体抽出手段、
として機能させ、
前記差分生成手段は、
前記顔検出手段によって顔領域が検出された場合に、当該顔領域については相違度が高くなるように前記差分情報を生成することを特徴とするプログラム。